Podtech/llm-jp-corpus-v4-ja_patent huggingface dataset:
(57)【要約】      （修正有）【課題】魅力的で新しい蚊の忌避剤を提供する。【解決手段】レモングラス由来の２種の活性物質ジェラニィアルとネラルは蚊の忌避物質として０．２ｍｇ／ｃｍ２以上の濃度で皮膚、合成皮革、プラスチック等に使用する。【効果】ＤＥＥＴに比較して忌避効果は低いが濃度を０．２ｍｇ／ｃｍ２以上にすることによってＤＥＥＴと代わらない効果が期待できる。レモングラス由来の２種の活性物質は非病原性で毒性上問題なく、環境に安全な蚊の忌避剤である。加えて、レモングラスから抽出された活性物質のエッセンシャル・オイルは、安らぎ、リフレッシュ、リラックス等のアロマテラピーの効果やオイル製造過程でできるレモングラス活性物質を含んだ蒸留水はリネンウォーターとしていやな匂いを抑える効果も併せ持つ忌避剤が期待できる。【選択図】  なし【特許請求の範囲】
【請求項１】
レモングラス（Ｃｙｍｂｏｐｏｇｏｎ  ｃｉｔｒａｔｕｓ）由来の２種の活性物質ジェラニィアル（ｇｅｒａｎｉａｌ）とネラル（ｎｅｒａｌ）の単独か混合からなる蚊の忌避剤。
【請求項２】
レモングラスから抽出されたエッセンシャル・オイル、または、オイル製造過程でできるレモングラス活性物質を含んだ蒸留水を蚊の忌避剤とする製造物品。
【発明の詳細な説明】
【０００１】
【産業上の利用分野】
レモングラス（Ｃｙｍｂｏｐｏｇｏｎ  ｃｉｔｒａｔｕｓ）由来の２種の活性物質ジェラニィアル（ｇｅｒａｎｉａｌ）とネラル（ｎｅｒａｌ）は蚊の忌避物質として可能性があり、また、アロマテラピーの効果やリネンウォーターとしていやな匂いを抑える効果もあり、魅力的で新しい蚊の忌避剤につながると考えます。
【０００２】
【従来の技術】
ＤＥＥＴ（Ｎ，Ｎ−ｄｉｅｔｈｙ１−３−ｍｅｔｈｙ１−ｂｅｎｚａｍｉｄｅ）が、今日最も商業上有効な蚊の忌避剤の成分であり、市場を殆んど独占している。
【０００３】
【発明が解決しようとする課題】
合成忌避剤であるＤＥＥＴは優れた蚊の忌避効果があるが、好ましくない香りがしたり、毒性上問題があるにも関わらず皮膚に浸透したり、合成皮革やプラスチックを損傷する欠陥があるため、これら問題を払拭できる非病原性で毒性上の問題点がない天然由来の蚊の忌避剤の検索が課題である。
【０００４】
【課題を解決するための手段】
レモングラス由来の２種の活性物質ジェラニィアルとネラルは蚊の忌避物質として可能性があるが、ＤＥＥＴに比較して忌避効果は低いが濃度を０．２ｍｇ／ｃｍ２以上にすることによってＤＥＥＴとかわらない効果が期待でき、また、植物由来の忌避物質であるため、非病原性で毒性上問題なく、環境に安全な蚊の忌避剤となり、加えて、レモングラスから抽出されたエッセンシャル・オイルは、安らぎ、リフレッシュ、リラックス等のアロマテラピーの効果やオイル製造過程でできるレモングラス活性物質を含んだ蒸留水はリネンウォーターとしていやな匂いを抑える効果も併せ持つ忌避剤が期待できる。
【０００５】
【作用と実施例】
次に、本発明の実施方法とその実験結果を例にあげて説明するが、本発明はこれらに限定されるものではない。
【０００６】
第１例
本発明では、輸血用血液にジェラニィアル単独、ジェラニィアルとネラルの混合物、ＤＥＥＴ単独の３種類の忌避物質を含有させた餌を作り、２種類の蚊（Ｃｕｌｅｘ  ｐｉｐｉｅｎｓ  ｐａｌｌｅｎｓ，Ｃｕｌｅｘ  ｐｉｐｉｅｎｓ  ｑｕｉｎｑｕｅ  ｆａｓｃｉａｔｕｓ）の摂餌率を調べる生物検定を行った。
忌避効果の量
2004210756.tif 000002
忌避効果の持続時間
2004210756.tif 000003
この結果、ＤＥＥＴの蚊の忌避効果は非常に高いことが明らかになったが、ジェラニィアル単独、ジェラニィアルとネラルの混合物であっても濃度を高めれば高い蚊の忌避効果があることが明らかになった。
【０００７】
【発明の効果】
レモングラス由来の２種の活性物質ジェラニィアルとネラルは植物由来の忌避物質であるため、非病原性で毒性上問題なく環境に安全な蚊の忌避剤となり、加えて、レモングラスから抽出されたエッセンシャル・オイルは、安らぎ、リフレッシュ、リラックス等のアロマテラピーの効果やオイル製造過程でできるレモングラス活性物質を含んだ蒸留水はリネンウォーターとしていやな匂いを抑える効果も併せ持ち蚊の忌避剤として非常に期待できる。
(57)【要約】【目的】手軽に頭皮の保護及び頭髪の育毛効果が期待出来る製品を、提供するのが目的である。【構成】マイナスイオン及び遠赤外線の発生源セラミックを、キヤップ内部に着脱自在に取り付けるか、キヤップを形成する繊維又は布に、粉末タイプの発生源を含浸処理せるものを使用する。【選択図】              図１
2004210758.tif 000002
【特許請求の範囲】
【請求項１】
微弱放射性鉱物及び遠赤外線放射鉱物を原料とし、加工したセラミックタイル２をキヤップ１内に取り付けた、イオン遠赤外線キヤップ。
【請求項２】
請求項１に記載の原料を加工したセラミックボール３を、キヤップ１内に取り付けた、イオン遠赤外線キヤップ。
【請求項３】
請求項１及び請求項２に記載のセラミックタイル２及び、セラミックボール３を既成の帽子内に、着脱自由に取り付け使用を可能とせる、イオン遠赤外線キヤップ。
【請求項４】
請求項１に記載の原料の粉末を、キヤップ１を形成する繊維又は布に含浸処理した、イオン遠赤外線キヤップ。
【発明の詳細な説明】
【０００１】
【発明の属する技術分野】
本発明のものは、マイナスイオン及び遠赤外線を利用して、頭皮の保護及び頭髪の育毛を目的とするもので、キヤップをかぶるのみで手軽に毎日使用出来るようにしたものである。
【０００２】
【従来の技術】
育毛を目的とするものには、従来よりの民間療法を初めとして、色々な育毛剤が製品化され市販されている。  本発明のものは、それらと併用することにより更に高い効果が期待出来るものである。
【０００３】
本発明のものは、トルマリン鉱石のように衝撃を与えることで、マイナスイオンを発生するものでなく、衝撃に関係無くマイナスイオンと遠赤外線を発生する鉱物を発生源に応用して、頭皮の保護及び頭髪の育毛に役立てるものである。
【０００４】
【発明が解決しょうとする課題】
本発明が解決しょうとするのは、市販されている色々な育毛剤及び、従来より普及している民間療法と併用することで、より高い保護、育毛効果が期待出来る製品を提供するのが課題である。
【０００５】
【課題を解決するための手段】
この課題を解決するための手段として、本発明のものは、微弱放射性鉱物及び遠赤外線放射鉱物を原料とし、これを加工したマイナスイオン及び遠赤外線発生源を、キヤップ内部に取り付け使用するものである。
【０００６】
【発明の実施の形態】
本発明のものは、薬品のように効果と同時に副作用の心配が無く、効果のみを期待出来る、マイナスイオンと遠赤外線による、頭皮の保護、頭髪の育毛を目的とせるキヤップに関するものである。
【０００７】
【実施例】
地球上の大気圏では、宇宙線、空中ラドン及び地殻の鉱物、植物からの自然放射線によって、空気中の水分子塊がプラスとマイナスにイオン化され、それが中和、消費、発生を繰り返し、直径０．０００５〜０．１ミクロンの水蒸気の細かい水分子塊に付着して遊離している地球付近では、晴天時その数は５０００個／ｃｍ程度で。ブラスイオンはマイナスイオンより１０％程度多いのが平均的な値である。
【０００８】
しかし、近年住宅の密閉度が良くなり室内では、タバコの煙や目立たないゴミなどの浮遊粉塵が発生し、これにブラスイオンが付着する状態になり、それと中和して落下するためにマイナスイオンを消費する。    その結果室内ではブラスイオンとマイナスイオンの濃度が、外気の１／２程度に減少する。
【０００９】
本発明のものは、このような現象を正常に戻すと共に、外気でも田園地帯、森林、海岸等空気の汚れの少ない地域のイオン濃度を、室内に再現させる目的で天然鉱石を利用した、マイナスイオン・遠赤外線発生原セラミックス」が製品化され、このセラミックを使用して頭皮の保護、頭髪の育毛を目的とする、キヤップを提供しようとするものである。
【００１０】
このセラミックスは微弱放射性鉱物を主原料にして、その微弱放射線エネルギーによって空気イオンを生成する作用と共に、遠赤外線材料として添加した超効率遠赤外線放射物質と放射線エネルギーの反応熱を利用して、１０ミクロン付近の常温において遠赤外放射線を放射する作用を同時に与え、イオン生成と遠赤外線放射を二大特徴として、調製した機能性セラミックスである。
【００１１】
この発生源粉末１ｇをシャーレに入れて、メーカー側にて測定し４０３０個／ｃｃのマイナスイオン数及び、アンモニアに対する消臭効果の有ることも報告されている。
【００１２】
次いで図について説明すれば、図１に図示せるものは、本発明の目的のマイナスイオンと遠赤外線による、頭皮の保護、頭髪の育毛効果が期待出来るキヤップ１を示すもので、このキヤップ１を使用する前に、育毛剤又は従来よりの民間療法を併用することで、更に高い効果が期待出来るものである。
【００１３】
キヤップ１内に取り付け使用する発生源として、図２に図示せる「黒色円盤成形セラミック２」があり、これをキヤップ１内部に取り付け使用するものである。
このセラミック２にはマイナスイオン効果・遠赤外線効果・消臭効果・静電気防止効果がある。
【００１４】
図３に図示せるものは「白色球状成形セラミック３」で、これをキヤップ１内部に取り付け使用するもので、効果的にはセラミック２の場合と変わらないものである。
【００１５】
前記のセラミック２及び３を既成の帽子に、着脱自在に取り付け使用を可能にすれば、手持ちの帽子に使用しキヤップ１と同じ効果が期待可能となる。
【００１６】
キヤップ１の繊維又はキヤップ１を形成する布に、この発生源の粉末を含浸処理せるものを使用すれば、特に発生源セラミックを取り付ける必要が無くなり、含浸キヤップ１を使用すれば即効果が期待出来るものである。
【００１７】
【発明の効果】
発明の効果としては、マイナスイオンと遠赤外線による、頭皮、頭髪に対する保護、育毛効果以外にも消臭、静電気防止等の効果が期待出来るものである。
【図面の簡単な説明】
【図１】図１はキヤップの一例を示す図である。
【図２】図２はタイル状に加工した、マイナスイオンと遠赤外線発生原を示す図である。
【図３】図３は球状に加工した、マイナスイオンと遠赤外線発生原を示す図である。
【符号の説明】
１  キヤップ
２  タイル状発生原
３  球状発生原
【図１】
2004210758.tif 000003
【図２】
2004210758.tif 000004
【図３】
2004210758.tif 000005
(57)【要約】【目的】切り花及び野菜の鮮度を保持させるのが目的である。【構成】微弱放射性鉱物又は遠赤外線放射鉱物を原料として、粉末に加工したものを粘土に混入し、これを焼いて所定の形状に成形した陶器の発生源を作る、又はこれを樹脂により成形した容器内に、原料により白色球状成形セラミック、又は黒色円盤成形セラミックを作り、これをマイナスイオンと遠赤外線の発生源として、花瓶等の容器の底に置きこれに水を入れ、この水をマイナスイオン化して使用するものである。【選択図】              図１
2004210760.tif 000002
【特許請求の範囲】
【請求項１】
微弱放射性鉱物及び遠赤外線放射鉱物を原料として、粉末加工し原料をセラミックに、又は粘土に含有させ陶器に形成し、穴部２及び針部３を設けたセラミック又は陶器盤１を花瓶等の底に置き使用する、イオン遠赤外線による鮮度保持
【請求項２】
請求項１に記載の原料により作った、白色球状成形セラミック６を容器５内に入れ、穴２と針３を有する蓋４をして花瓶等の底に置き使用する、イオン遠赤外線による鮮度保持。
【請求項３】
請求項１に記載の原料により作った、黒色円盤成形セラミック７を容器５内に入れ、穴２と針３を有する蓋４をして花瓶等の底に置き使用する、イオン遠赤外線による鮮度保持。
【発明の詳細な説明】
【０００１】
【発明の属する技術分野】
本発明のものは、マイナスイオン及び遠赤外線を利用して、切り花及び野菜の鮮度保持を可能とせる、水をマイナスイオン化出来る発生源を提供するものである。
【０００２】
【従来の技術】
従来より花瓶内の切り花の寿命を伸ばす方法として、切り花の水上げを良くする軸の切断法、花瓶内の水の殺菌等の目的で銅貨を入れる、切り花に栄養を与える目的で少量の糖分を入れる等、従来より色々な方法が使用されている。
【０００３】
本発明のものは、マイナスイオンと遠赤外線を利用して、手軽にそれら全ての目的を達成可能とせる、花瓶等の底に入れて使用するイオン遠赤外線発生源を、提供しようとするものである。
【０００４】
【発明が解決しょうとする課題】
本発明が解決しょうとするのは、手軽に花瓶内の切り花及び、野菜の鮮度保持を可能とするものを提供するのが課題である。
【０００５】
【課題を解決するための手段】
この課題を解決するための手段として、本発明のものは、微弱放射性鉱物及び遠赤外線放射鉱物を原料とし、粉末加工したものを粘土に混入し、これを成形し発生源として花瓶等の底に置いて使用する、又は樹脂よりなる容器内に前記原料により作った、白色球状成形セラミック又は黒色円盤成形セラミックを入れて、マイナスイオン及び遠赤外線の発生源として使用するものである。
【０００６】
【発明の実施の形態】
本発明のものは、微弱放射性鉱物及び遠赤外線放射鉱物を原料とし、水をマイナスイオン化する発生源を作り、これを花瓶等の底に入れて使用するものである。
【０００７】
【実施例】
地球上の大気圏では、宇宙線、空中ラドン及び地殻の鉱物、植物からの自然放射線によって、空気中の水分子塊がプラスとマイナスにイオン化され、それが中和、消費、発生を繰り返し、直径０．０００５〜０．１ミクロンの水蒸気の細かい水分子塊に付着して遊離している地球付近では、晴天時その数は５０００個／ｃｍ程度で。ブラスイオンはマイナスイオンより１０％程度多いのが平均的な値である。
【０００８】
しかし、近年住宅の密閉度が良くなり室内では、タバコの煙や目立たないゴミなどの浮遊粉塵が発生し、これにブラスイオンが付着する状態になり、それと中和して落下するためにマイナスイオンを消費する。    その結果室内ではブラスイオンとマイナスイオンの濃度が、外気の１／２程度に減少する。
【０００９】
本発明のものは、このような現象を正常に戻すと共に、外気でも田園地帯、森林、海岸等空気の汚れの少ない地域のイオン濃度を、室内に再現させる目的で天然鉱石を利用した、マイナスイオン・遠赤外線発生原セラミックスが製品化され、このセラミックを使用して、切り花及び野菜の鮮度保持を目的とするものである。
【００１０】
このセラミックスは微弱放射性鉱物を主原料にして、その微弱放射線エネルギーによって空気イオンを生成する作用と共に、遠赤外線材料として添加した超効率遠赤外線放射物質と放射線エネルギーの反応熱を利用して、１０ミクロン付近の常温において遠赤外放射線を放射する作用を同時に与え、イオン生成と遠赤外線放射を二大特徴として、調製した機能性セラミックスである。
【００１１】
この発生源粉末１ｇをシャーレに入れて、メーカー側にて測定し４０３０個／ｃｃのマイナスイオン数及び、アンモニアに対する消臭効果の有ることも報告されている。
【００１２】
次いで図について説明すれば、図１に図示せるものは、本発明花瓶等の底に入れて使用する、マイナスイオンと遠赤外線発生原の陶器又はセラミック１示すもので、円盤状で数個の穴２と数個の針３（剣山）を設けたものである。
【００１３】
これに対して図２に図示せるものは、図１の陶器１と同じ形態の容器を樹脂にて作り、この容器５の中にマイナスイオンと遠赤外線の発生源として、白色球状成形セラミック６又は黒色円盤成形セラミック７を入れ、蓋４をしてセラミック又は陶器１と同様に使用するものである。
【００１４】
次いでこれらの効果を参考資料により説明する、花瓶の底に発生源を置き、それに水を入れる事で花瓶内の水はマイナスイオン化される、（Ａ）はこのイオン水の花瓶と、普通の水道水を入れた花瓶とそれぞれに、切り花（同じ花数、同じ蕾数）を入れ、テストを開始する。
【００１５】
写真（Ｂ）はテスト開始から１０日目のもので、水道水の花瓶に比べイオン水の花瓶の方は、蕾が開いて花になり花の鮮度は保持されているが、水道水の花瓶の方は、蕾が開いて花になる数が少なくイオン水に比べ多少鮮度が低下している。
【００１６】
写真（Ｃ）は、水道水に比べイオン水の方が水の吸い上げが良く、花瓶内の水の量がイオン水の方を多く吸い上げており、花瓶内の水が多く減少しているので解るものである。
【００１７】
この切り花に変わり、野菜の根の部分をイオン水につけて置けば、そのままの野菜よりも長く鮮度が保持されるものである。  この場合の容器は野菜が入る適当な容器に、発生源と水を入れて使用するものである。
【００１８】
【発明の効果】
発明の効果としては、マイナスイオンと遠赤外線の効果により、水の鮮度も長くなり、そのイオン水につけている切り花及び野菜は、そのままの状態で置いた時に比べ鮮度が長く保持されるものである。
【図面の簡単な説明】
【図１】発生源原料をセラミック又は陶器に成形した、イオン遠赤外線発生源を示す図である。
【図２】図２は原料により成形した、白色球形セラミック及び黒色円盤セラミックを入れ、イオン遠赤外線発生源として使用する樹脂容器を示す図である。
【符号の説明】
１  原料を焼き物とした形成品
２  穴部
３  針部
４  樹脂よりなる蓋部
５  樹脂よりなる容器
６  原料を白色球形に形成したセラミック
７  原料を黒色円盤に形成したセラミック
【図１】
2004210760.tif 000003
【図２】
2004210760.tif 000004
(57)【要約】【課題】従来の石鹸、シャンプー、リンス、化粧水、入浴剤などの化粧品は、洗浄力、皮膚浸透率、保存性を高める為、合成の界面活性剤、合成保存料などを配合する事が多い。しかし、近年合成の界面活性剤、保存料の健康、環境に対する危険性が注視されるようになっている。【解決手段】化粧品基剤に、天然鉱石である日本ＭＪＰ株式会社の登録商標「貴宝石」（学名：石英斑岩）の微粒子から抽出したエキスを配合する事により、基剤には合成界面活性剤を使用することなく、天然の界面活性効果のみで化粧品としての効果を発揮するとともに、貴宝石の持つマイナスイオン効果、ミネラル効果、遠赤外線効果により、美容のみならず、健康、環境にも配慮した化粧品を作製できるようになった。また、貴宝石は防腐作用を持つため、合成保存料を入れる必要も無くなった。また、貴金属である白金を含有させることにより、マイナスイオン電子を生体に効率よく取り込む事ができるようになった。【選択図】  なし【特許請求の範囲】
【請求項１】
石英斑岩微粒子抽出エキスを化粧品基材（固形石鹸、液体石鹸、精製水、リンス基剤、パック基剤、入浴剤）に含有させた化粧品
【請求項２】
白金を含有させた請求項１に記載の化粧品
【発明の詳細な説明】
【０００１】
【発明の属する技術分野】
本発明は、マイナスイオンやミネラル成分を効率的に全身から体内に取り入れる為の健康、環境に配慮した各種化粧品に関する。
【０００２】
【従来の技術】
従来の化粧品（医薬部外品含む）として、石鹸、シャンプー、リンス、パック剤、化粧水、入浴剤など多種多様な商品が販売されているが、これらの化粧品には洗浄力、皮膚浸透率、保存性を高めるために合成の界面活性剤、保存料など、表示指定成分を使用することが多い。
【０００３】
また、マイナスイオン効果、ミネラル効果、遠赤外線効果のある、鉱石としてトルマリン、また、同様の効果が期待できる木竹炭などを上記の洗浄剤基剤に含有させる技術がある。（例えば特許文献１参照）
【０００４】
【特許文献１】
特開平９−２７８６２４
【０００５】
【発明が解決しようとする課題】
以上に述べた化粧品は、合成の界面活性剤や保存料に起因する皮膚疾患、内臓疾患、環境汚染の恐れがある。
【０００６】
本発明は、従来の化粧品の有していた問題点を解決しようとするものでありまた同時に従来トルマリンや木竹炭で得ていたマイナスイオン、ミネラル、遠赤外線作用をより効果的にする事を目的とするものである。
【０００７】
【課題を解決するための手段】
第１の課題解決手段として本発明では、化粧品基剤には合成の界面活性剤や表示指定成分を含まない物を使用する。
【０００８】
第２の課題解決手段として、本発明ではマイナスイオン、ミネラル、遠赤外線発生成分の素材として日本ＭＪＰ株式会社の登録商標：貴宝石（学名：石英斑岩）の微粒子を採用している。
【０００９】
第３の課題解決手段として、貴宝石の発生するマイナスイオンを効率よく生体に導入する触媒として貴金属である白金を採用している。
【００１０】
第１の解決手段による作用として、合成界面活性剤の持つ問題である皮膚疾患、内臓疾患、また生分解性にすぐれているため、環境汚染などの問題が解決される。
【００１１】
第２の解決手段による作用として貴宝石はマイナスイオンを発生する自然鉱石（木竹炭含む）ではマイナスイオン発生量が自然鉱石では最高レベルであり、遠赤外線放射率も高く、ミネラルも多く含有している。
貴宝石のもつ性質を上げると
１水と接触するとよりマイナスイオンを放出する
２表面積が大きいほどマイナスイオンを発生する面積が増える（細かくするほど良い）
３摩擦、熱などの刺激を加えるとよりマイナスイオンを発生する
４マイナスイオンは皮膚浸透すれば即効性も期待できる
５毒性、刺激性が無く、傷などがあっても使用できる
６界面活性効果がある
以上の性質により、貴宝石は化粧品に添加することにおいて、非常に優れている物質であると言える
【００１２】
第３の解決手段による作用として、貴金属類は貴宝石の発生するマイナスイオン電子を効率よく生体に取り込む触媒作用がある。本発明では特に腐食しにくい、白金を採用する。
【００１３】
【発明の実施の形態】
貴宝石微粒子は水１リットルに対して、３０グラムを配合し、加熱する事により水をアルカリイオン化させる。この際に貴宝石微粒子のミネラル成分が溶け出し水は乳白色の溶液になる。これを貴宝石微粒子抽出エキスとする。
【００１４】
貴宝石微粒子抽出エキスを化粧品基剤に配合する。
また、これに白金を配合する。
【００１５】
【発明の効果】
マイナスイオン効果は肌より直接血液中に導入すると、即効性が期待できるため、本発明の化粧品は、直接肌に使用する物であるので、非常に理にかなっていると言える。
貴宝石の持つ効果は以下の通り
１血行促進
２自律神経の調整作用
３細胞の活性化（老化防止）
４水分子の活性化作用
５浄血、免疫力向上作用
６腸内機能の正常化
７解毒、排毒作用
８殺菌、防腐、保水作用
等が上げられる。
以上の作用により、合成の界面活性剤、表示指定成分を一切配合しない化粧品においても、充分な効果が発揮できるようになり、美容の目的だけではない、健康、環境に配慮した化粧品を製造する事ができるようになった。
また、白金を配合する事により、マイナスイオン電子の吸収力が高まり、貴宝石との相乗効果が期待できる。
(57)【要約】      （修正有）【課題】エイズ（ＨＩＶ）の治療薬の提供。【解決手段】ＨＩＶの治療につき、単に増殖を抑制するのではなく、殺菌し、しかも大量に飲んでも無毒な成分。そしてその供給か豊富で安価で易いもの。それは茶の抽出のカテキンである。つまり、エイズをなおすカテキン錠剤他にＣＴＬの強化としての、ＩＬ−２とＩＮＦ−ｒのくみあわせの薬及び血液かん流式の、体外温熱殺菌装置。【選択図】図１
2004210762.tif 000002
【特許請求の範囲】
【請求項１】
細菌又はウィルス用の、内服又は注射用のカテキン又はタンニンの錠剤又は粉末
【請求項２】
エイズ治療薬としてのカテキン又はタンニンの錠剤又は錠剤化又は粉末又は粉末化
【請求項３】
エイズ治療薬としての、一たんが、インターロイキン２と、インターフェロンｒであるところの薬又はそのウィルス又は細菌用の薬
【請求項４】
感染者の血液を、体外であたため又冷やして戻す、血液かん流式の、ウィルス又は細菌の感染者の治療装置又はＨＩＶの治療装置
【発明の詳細な説明】
【０００１】〔分野〕
医学  薬学
【０００２】〔従来〕
・請求項１と請求項２に関するもの
（１）．エイズの治療薬として、ヒスレトロウィルス薬など、エイズの増殖を抑制するものはあった
（２）．カテキンは外用の殺菌スプレーなど又は緑茶のうがいのすすめなど
（３）．タンニンは、下りどめや止血やアルカイド中毒の改善の医薬
・請求項２に関するもの
インターロイキンやインターフェロンは免えきの強化・活性化として、それぞれいろいろあり。
ただインターロイキン２とインターフェロンｒの組みあわせが、キラーＴ細胞（ＣＴＬ）の活性強化して直載に直結するもの、としてでのそれは、私のしるかぎりしらない
又
ＣＴＬの強化は、遺伝子治療ではある
・〔請求項３〕に関するもの
血液のかん流装置を応用するものには低体温療法装置あり。
ただ感染者の血液を体外であたため、又冷やして戻すという治療としての応用装置はない。はじめての考案（応用）、感染治療として
【０００３】〔課題〕及び
【０００４】手段
〔請求項１〕に関するもの。〔請求項２〕に関するもの
１．ウィルスを単に抑制するのではなく殺菌すること
２．上限はあるが、１日６錠位飲んでも無毒、服作用はないこと
３．供給が資源として豊かで、製造がかん単で、安価であること
以上をみたすものは茶から抽出できるところのカテキン又はその重合体としてのタンニンである
とくにカテキン錠が理想的である
・〔請求項３〕に関するもの
エイズは細胞性免えきの低下である又細胞性めんえきはキラーＴ細胞が主役である又キラーＴ細胞はインターロイキン２、インターフェロンｒの協同により、増殖・活性化する  ところで
エイズはヘルパーＴ細胞を減少させるがヘルパーＴ細胞は、インターロイキン２とインターフェロンｒを分泌するので、つまりＩＬ−２とインターフェロンｒとの減少ともいえるだから逆に、ＨＩＶによりへるＩＬ−２とＩＮＦ−ｒを人工的に注入補充すれば、ＣＴＬの活性増殖になり、つまり細胞性めんえきの低下を防ぐ形になる。又ＩＬ−２とＩＮＦ−ｒは人工生産ができる
・〔請求項４〕に関するもの
エイズウィルスはＷＨＯによればに沸で１０分で死ぬという。感染者の血液を３００ｃｃずつ体外にだし４５℃位の３０分位で殺菌し、又冷やして３６℃位に戻して、体内に環流させる。そのために血液かん流装置と熱冷の加工部を使う。５０℃以上は血液の他成分に危険あり。時間で補う
〔実施例〕
・請求項１に関するもの。及び請求項２に関するもの
（１）．茶よりカテキンを抽出
（２）．カテキンの錠剤化
（３）．感染者は、朝３錠、夕３錠のむ
（エイズ）
（４）．感染者の血中濃度の中のカテキンは分解・排出されるまえに、血中のＨＩＶを殺菌する
（５）．カテキンは無毒で副作用はない
・〔請求項３〕に関するもの
（１）遺伝子くみかえなどで、ＩＬ−２とＩＮＦ−ｒを人工増産
（２）．それを注射液のアンプルに入れる
（３）．ＨＩＶの感染者に注射
（４）．ＨＩＶの感染者のＣＴＬの増殖、活性化
・〔請求項４〕に関するもの
（１）．ＨＩＶの感染者の血を３００ｃｃずつ血液かん流装置で体外にだす
（２）．それを４５℃で３０分熱する。殺菌。
（３）．それを冷やして３６℃に戻す
（４）．そのひやした３６℃の３００ｃｃの血を感染者の体内に戻す
（５）．この反復（人は５ｌの血）｛５０００÷３００×３０分｝×α
【０００５】効果
〔請求項１と２〕
ＨＩＶを殺菌し、無毒で供給が易いものとしての、又感染者自身が治療しやすいものとしての、カテキン錠
〔請求項３〕
ＣＴＬの強化の薬剤
〔請求項４〕
風邪をひくと、本能で発熱して殺菌又は抑制しようとする。その人工的な増強
【図面の簡単な説明】
【図１】は請求項１と請求項２に関する概念図である
【符号の説明】
１はカテキン抽出部
２は錠剤化部
【図２】は請求項３に関する概念図である
【符号の説明】
１はインターロイキン２
２はインターフェロンｒ
３は注射のアンプル容き
【図３】は請求項４に関する概念図
【符号の説明】
１は感染者
２は血液かん流装置
３は熱加工部
４は冷却部
【図１】
2004210762.tif 000003
【図２】
2004210762.tif 000004
【図３】
2004210762.tif 000005
(57)【要約】【課題】毒性や副作用の少ないシクロオキシゲナーゼ阻害剤及びシクロオキシゲナーゼ阻害用飲食品を提供する。【解決手段】カロチノイド色素成分であるアスタキサンチンを有効成分とするシクロオキシゲナーゼ阻害剤及びアスタキサンチンを添加してなるシクロオキシゲナーゼ阻害用飲食品。【効果】毒性及び副作用が少なく、免疫疾患の予防、治療、緩和に有用である。【選択図】  図１
2004210725.tif 000002
【特許請求の範囲】
【請求項１】
アスタキサンチンを有効成分とする、シクロオキシゲナーゼ阻害剤。
【請求項２】
アスタキサンチンを添加してなる、シクロオキシゲナーゼ阻害用飲食品。
【発明の詳細な説明】
【０００１】
【発明の属する技術分野】
本発明は、医薬として有用な、アスタキサンチンを有効成分とするシクロオキシゲナーゼ阻害剤及び、アスタキサンチンを添加してなる、シクロオキシゲナーゼ阻害用飲食品に関する。
【０００２】
【従来の技術】
シクロオキシゲナーゼ（プロスタグランジンエンドペルオキシドシンターゼ）は、プロスタグランジンＨ２を産生する酵素であり、このプロスタグランジンＨ２は、さらにプロスタグランジンＤ２、Ｅ２、Ｆ２やトロンボキサンＡ２、Ｂ２等の強い生理活性を有する代謝物に誘導される。したがって、シクロオキシゲナーゼを阻害すればプロスタグランジンＨ２の生成、ひいては上記プロスタグランジン類やトロンボキサン類の生成を阻害しうると考えられる。
【０００３】
アスピリン、インドメタシンに代表される多くのシクロオキシゲナーゼ阻害剤は、プロスタグランジン類の生合成を抑制する作用を有するため、プロスタグランジン類が関与する疾病に有効である。しかしながら、現在使用されているシクロオキシゲナーゼ阻害剤の多くは、消化性潰瘍、めまい等の副作用があり、また、治療に必要とする使用量と副作用が発現する使用量との間に大きな差がないため、より安全性の高いシクロオキシゲナーゼ阻害剤の開発が望まれている。
【０００４】
一方、アスタキサンチンは、ヘマトコッカスと呼ばれる藻類に含まれているカロチノイド色素成分であり、植物連鎖によって、プランクトンからエビ、カニ、そしてサケ等の魚類に取り込まれて、それぞれに特有の赤色の発色源となっている。アスタキサンチンは抗酸化作用を有することが知られており、動脈硬化、心筋梗塞、脳卒中の予防や、糖尿病の合併症や痴呆予防にも有効であるといわれている。しかしながら、アスタキサンチンがシクロオキシゲナーゼ阻害作用を有することは知られていない。
【０００５】
【発明が解決しようとする課題】
本発明は、毒性や副作用の少ないシクロオキシゲナーゼ阻害剤及びシクロオキシゲナーゼ阻害用飲食品を提供することを目的とする。
【０００６】
【課題を解決するための手段】
本発明者らは、上記の目的を達成するため鋭意検討した結果、アスタキサンチンがシクロオキシゲナーゼ阻害作用を示すことを見い出し、本発明を完成するに至った。
すなわち、本発明は、アスタキサンチンを有効成分とするシクロオキシゲナーゼ阻害剤に関する。
さらに本発明は、アスタキサンチンを添加してなる、シクロオキシゲナーゼ阻害用飲食品に関する。
【０００７】
【発明の実施の形態】
本発明の有効成分であるアスタキサンチンは、ヘマトコッカスと呼ばれる藻類、オキアミ等のプランクトン、エビ、カニ、又はサケ等の魚類から溶媒抽出、精製することにより得ることができる。とくに、ヘマトコッカス藻類の培養により、大量製造が可能となっている。医薬用途に用いるには、高度に精製したものを用いることが望ましいが、飲食品用途の場合には、粗抽出物や粗生成物を用いることも可能である。
【０００８】
本発明のシクロオキシゲナーゼ阻害剤は抗炎症作用のほか、例えばその免疫調節作用等により、免疫調節剤等として有用である。医薬としての具体的な適用疾患として、アレルギー性結膜炎、虹彩炎、毛様体炎、強膜炎などの炎症性眼疾患；糸球体腎炎、腎孟腎炎、前立腺炎；気管支炎、肺炎；胃腸炎；慢性関節リウマチ；骨粗鬆症；大腸癌；ベーチェット病、膠原病などの自己免疫性疾患等を挙げることができる。
【０００９】
本発明に係るシクロオキシゲナーゼ阻害剤は、賦形剤、結合剤、崩壊剤、溶解剤等の添加剤と共に公知の製剤技術により、錠剤、カプセル剤、散剤、顆粒剤、シロップ剤、注射剤等の剤型とすることができる。
また、本発明のシクロオキシゲナーゼ阻害用飲食品は、アスタキサンチンを各種の食品に添加して製造することができる。例えば、シクロオキシゲナーゼ阻害用飲食品としては、清涼飲料、菓子、冷菓、乳製品、酒類、肉類等を挙げることができる。
【００１０】
アスタキサンチンの投与量は、経口投与の場合、成人一人あたり２００〜２０００ｍｇ／日であり、好ましくは、４００〜１０００ｍｇ／日の範囲であり、患者の症状に応じて、適宜増減することができる。
また、本発明のシクロオキシゲナーゼ阻害用飲食品における有効成分としてのアスタキサンチンの含有量としては、飲食品としての１日の通常摂取量で上記の有効量を満たすように含有量を規定することができる。
【００１１】
以下、本発明を実施例により説明するが、本発明はこれに限定されるものではない。
【００１２】
【実施例】
実施例１
アスタキサンチンのシクロオキシゲナーゼ阻害作用
マウスマクロファージ由来細胞であるＲＡＷ２６４．７細胞を１ウェルあたり５ｘ１０４個になるよう調整し、アスタキサンチン１，５，２５μＭをＤＭＳＯに溶解して添加し、３７℃、５％ＣＯ２存在下で予め２４時間培養した。ＰＢＳで洗浄後、同濃度のアスタキサンチン存在下でＬＰＳ１０μｇ／ｍｌを添加し、マクロファージを刺激した。２４時間培養後、培養液中のプロスタグランジンＥ２濃度を測定した。また、冷ＰＢＳで十分に洗浄した後、細胞中のシクロオキシゲナーゼの発現をウエスタンブロティング法にて検討した。ＬＰＳコントロール群およびＬＰＳ刺激なし群も設け、アスタキサンチンの溶媒として用いた０．０１％ＤＭＳＯを、アスタキサンチンを加えずに添加した。その結果、アスタキサンチンは濃度依存的にシクロオキシゲナーゼの発現を阻害することが確認された（図１）。また、アスタキサンチンは、濃度依存的にプロスタグランジンＥ２濃度を有意に抑制した（図２）。
【００１３】
【発明の効果】
天然由来のカロチノイド色素成分であるアスタキサンチンを有効成分とする本発明のシクロオキシゲナーゼ阻害剤及びアスタキサンチンを添加してなるシクロオキシゲナーゼ阻害用飲食品は、毒性及び副作用が少なく、免疫疾患の予防、治療、緩和に有用である。
【図面の簡単な説明】
【図１】シクロオキシゲナーゼ発現量を示す、電気泳動図である。
【図２】プロスタグランジンＥ２濃度の測定結果を示すグラフである。
【符号の説明】
ＣＯＸ−２  シクロオキシゲナーゼ−２
ｎｏｒｍａｌ  ＬＰＳ刺激なし群
ＬＰＳ  ｃｏｎｔ  ＬＰＳコントロール群
Ｌ−ＮＡＭＥ  Ｎ−ニトロ−Ｌ−アルギニンメチルエステル
ＡＳＴ  アスタキサンチン
【図１】
2004210725.tif 000003
【図２】
2004210725.tif 000004
(57)【要約】【課題】定常な磁束で駆動させることのできる、ブラシの無い直流モーターを作る。【解決手段】完全反磁性体の反磁性の性質を用い、極性を反転させる必要のある箇所で、完全反磁性体が磁界を遮断する性質によって極性を反転させたのと同じ状態を作り出すことにより、モーターとして駆動させる仕組みとした。【選択図】無し。【特許請求の範囲】
【請求項１】
Ａ；定常な磁束を発生させるコイル（超伝導磁石や常伝導電磁石）、または永久磁石
Ｂ；条件（温度など）を与えることによって、常磁性（もしくは強磁性）の状態と反磁性（特に完全反磁性）の状態の二つの状態の間を行き来することのできる物質
Ｃ；全体もしくは一部をＢで包み、Ｂを反磁性化したときに磁界を遮断できるようにしたＡ
Ａ（Ｃ）；ＣのＡ
以上のように定義されたＡ、Ｂ、Ｃ、Ａ（Ｃ）について、ＡとＣを、ＡとＡ（Ｃ）の磁束が互いに引き寄せあうように作用する位置に配置し、ＣのＢが常磁性（もしくは強磁性）の状態ではＡとＡ（Ｃ）が磁束の向きに応じて互いに引き寄せあい、逆にＣのＢを反磁性化すると、ＡとＡ（Ｃ）の磁束がＢを境に仕切られてＡとＣが互いに引き離されるようにすることで、Ａ若しくはＣを、それぞれ他方に対して、相対的に直線方向乃至回転方向に運動させるようにした駆動装置。
【発明の詳細な説明】
【０００１】
【発明の属する技術分野】
この発明は、電磁力による発動機（モーター）に関するものである。
【０００２】
【従来の技術】
従来は、定常な磁束に対して、極性を反転させることで駆動するモーターが主流であった。
【０００３】
【発明が解決しようとする課題】
極性の反転ではない方法で駆動するモーターを作る。
【０００４】
【課題を解決する為の手段】
従来のＤＣモーターで、ブラシを使うなどして極性を反転させる必要があるのは、回転するタイプの場合、磁束の切れ目の部分で回転子を停止させてしまう力が働く為である。
また、直線運動する場合でも、定常な磁束同士では引き寄せあったまま動かなくなるなどの問題が生じるので、そうした力の反転が必要な箇所で完全反磁性体の反磁性の性質を利用するようにした。
【０００５】
【発明の実施の形態】
直線運動させる場合には、本発明の機構をその装置の一部に取り付ける。
また、トルクを利用する場合は、回転軸からトルクを伝達できるよう、トルクを必要とするものを回転軸に接続する。
【０００６】
【実施例】
図１に、円筒状の永久磁石であるＡ（Ｃ）の一部をＢで包んだＣと、Ａである棒磁石から成る本発明の装置の構造の一例を示す。
この図の装置では、１が常磁性から完全反磁性に変化すると、磁界が遮断されて２が押し出され、次に１が常磁性の状態に移ると、２と３の間で磁束による作用が復活し、２を３の内部に引き入れる働きが起こる。
この二つの動きを組み合わせることで、１と３を固定した場合に２がピストンのように動くモーターを作ることができる。
特に、二つのこのモーターを用意してそれぞれの２をクランクを使って軸に繋ぐと、３が２を引き込むタイミングをずらすことで、一方の２が引き込まれているときはもう一方の２が引き出されるというように、交互に力を発生させることができる。
【０００７】
【実施例】
図２に、棒磁石であるＡ（Ｃ）をＢで包んだＣと、電磁石であるＡから成る本発明の装置の構造の一例を示す。
この図の装置では、１が完全反磁性化すると、２と４の間で磁束の作用が遮断され、２が１ごと４の内部から押し出される。
次に１が常磁性の状態に戻ると、２と４の磁界の相互作用が戻り、２が１ごと４の内部へ引き込まれる。このとき、１と２は５によって停止させられる。
この二つの動きを組み合わせてそれらを交互に起こすことで、ピストンのように動くモーターを作ることができる。駆動して使用するには、図１の装置と同じ方法を用いる。
【０００８】
【実施例】
図３に、湾曲した棒磁石であるＡ（Ｃ）をＢで包んだＣと、棒磁石であるＡから成る本発明の装置の構造の一例を示す。
この図の装置では、図面に向かって２の左端が下に下がっているときに１が常磁性の状態であるようにすると、２と６の磁界が相互に作用して２を６の湾曲に沿って上へ押し上げ、それが７に伝わると、７に繋がっている回転軸を回してトルクを生じる。また、２が６の最上部に到達すると、１を完全反磁性化することで２と６の磁界の相互作用を遮断し、２が最下点に戻る構造となっている。
この装置も、図１の装置と同じように、異なる位相で複数の同じモーターを組み合わせることにより、効率的に力を発生させることができる。
【０００９】
【実施例】
図４に、湾曲した電磁石であるＡと、棒磁石であるＡ（Ｃ）をＢで包んだＣから成る本発明の装置の構造の一例を示す。
この図の装置では、四つある全ての２が、８に対して全て同じ極を向けている。
二つの２の先端部分が８の開いた端の間の部分に来ると、それらの１を反磁性化して磁界を遮断し、更に８から遠ざけるように２を１ごと回転軸の方向へ引き込ませることで、８の間の部分を通る時に生じる逆向きの力を避ける仕組みになっている。
また、残りの二つの２が８に沿って動く力によって、休んでいる方の二つの２が８の始めの端の部分に来ると、それらの１の反磁性を解いて２を８の磁界に近づけ、逆に動いていた方の二つの２の１を反磁性化して動作する側と休む側とを入れ替えるという動作を繰り返すことで、回転運動をするモーターとして動作させる仕組みとなっている。
【００１０】
【発明の効果】
完全反磁性体として超伝導体を用いた場合、反磁性化の為には主として温度調節だけでよいので、通常のモーターよりもエネルギーの消費量が少なくて済む。
【００１１】
【図面の簡単な説明】
【図１】これは、円筒状の永久磁石であるＡ（Ｃ）の一部をＢで包んだＣと、棒磁石であるＡから成る、Ａ（Ｃ）とＢの一部を切り欠いて内部構造を見やすくした本発明の装置の立体図である。
【図２】これは、電磁石であるＡと、棒磁石であるＡ（Ｃ）をＢで完全に包んだＣから成る、ＡとＢの一部を切り欠いて内部構造を見やすくした本発明の装置の立体図である。
【図３】これは、湾曲した形状の棒磁石であるＡ（Ｃ）をＢで完全に包んだＣと、棒磁石であるＡから成る、Ｂの一部を切り欠いてＣの内部構造を部分的に見やすくした本発明の装置の立体図である。
【図４】これは、電磁石であるＡと、棒磁石であるＡ（Ｃ）をＢで完全に包んだＣから成る、Ｂの一部を切り欠いて内部構造を部分的に見やすくした本発明の装置の立体図である。
【符号の説明】
１は、条件によって常磁性と完全反磁性の二つの状態を交互に取りうる物質
２は棒磁石
３は円筒状の永久磁石
４は電磁石（超伝導、もしくは常伝導磁石）
５はストッパー
６は湾曲した棒磁石
７は直線運動を回転運動に変換するクランク
８は湾曲した形状の電磁石
【図１】
2004248484.tif 000002
【図２】
2004248484.tif 000003
【図３】
2004248484.tif 000004
【図４】
2004248484.tif 000005
(57)【要約】【課題】負荷やマシンに応じた発振や振動等を早く検出して、即異常として停止すること等を目的とする。【解決手段】負荷のモデルからの推定速度と実際の速度との差を求め、通常の差はあらかじめ覚えておき、その差があるレベル以上である場合、発振や振動等として検出、警告又は異常として停止又は抑える。【選択図】    図１
2004248386.tif 000002
【特許請求の範囲】
【請求項１】
モータを駆動する制御装置において、
モータの推定速度を算出する手段を持ち、その負荷のモデルからの推定速度と実際の速度の差より、発振や振動等を検出する方法。
【請求項２】
上記検出方法において、
負荷のモデルからの推定速度を算出するのにオブザーバ等の制御器を用いて発振や振動等を検出する方法。
【発明の詳細な説明】
【０００１】
【発明の属する技術分野】
本発明はモータを駆動する制御装置において、機械を駆動する電動機（モータ）制御系の発振や振動等を検出する方法に関する。
【０００２】
【従来の技術】
従来、モータや機械が振動すると人が停止させるか或いは過電流や過負荷等で検出して停止させていた。
或いは速度のフィードバックより振幅を検出して振幅があるレベルを超えた場合、振動として検出していた。
更に図５のような波形の軸トルクを検出して、軸トルクがある周波数以上でかつあるレベルをある時間越えると、異常振動として検出していた（例えば、特許文献１参照）。又更に実速度又は位置偏差の微分が図６のような波形を周波数解析して、機械の固有振動に比べて最大振幅の周波数が（１）から（２）のように急激に高くなることにより、振動と検出していた（例えば、特許文献２参照）。
【０００３】
【特許文献１】特開平１０―１７６９４８号公報
【特許文献２】特開平２―２６１０８３号公報
【０００４】
【発明が解決しようとする課題】
ところが従来の技術では、発振や振動しても人が停止させない限りそのまま駆動するので、機械にダメージを与えるのとそのために人が備える必要があり、発振すると正負に大きな電流が流れるため制御装置のロスが増えるという問題があった。また限界迄応答を上げることができないという問題もあった。
特許文献１ではある周波数とある時間観測するために時間がかかるのと、負荷やマシンに応じたレベルでないので大きく振動してしまう問題もある。特許文献２でもある周波数成分を検出ためにサンプリングと処理に時間がかかるのと、マシンや制御装置がもともと持っている周波数成分があるのでそれと区別しないといけないので、周波数が高くなり始めるレベルや振幅が負荷やマシンにより変わる問題があった。複雑で正確に検出ができなかった。
そこで本発明は負荷やマシンに応じた発振や振動等を早く検出して、即異常として停止すること等を目的とする。
【０００５】
【課題を解決するための手段】
上記課題を解決するためモータを駆動する制御装置において、負荷のモデルからの推定速度と実際の速度との差を求め、通常の差はあらかじめ覚えておき、その差があるレベル以上である場合、発振や振動等として検出、警告又は異常として停止又は抑える。
上記手段により、機械のダメージを最大限に抑えることができるので、限界まで応答を上げることが可能かつ制御装置もロス等が少ないので繰り返し行うことができる。
【０００６】
【発明の実施の形態】
以下、本発明の具体的実施例を図１に示して説明する。
図１において１はマイクロコンピュータ、２は電流アンプ、３はベースドライブ回路、４はパワートランジスタモジュール、５はモータ及び負荷である。
以上のように構成された回路において、その動作を図２の制御ブロック図を用いて説明する。
まずマイクロコンピュータ２は位置や速度といった指令を外部のコントローラ等から受取る。
そして例えば速度指令の場合は速度制御を行いその出力の電流指令で電流制御を行い、ベースドライブ駆動回路３を通してパワートランジスタ４を駆動する。
ここでマイクロコンピュータ１は、通常の制御以外に図２のブロック図のようにトルクτよりモデル７の推定速度ωｏを得る。そしてマイクロコンピュータ１は、図２のブロック図のωｏ―ωがある検出レベルを越えた場合に、検出する。あるレベルは例えば最初に振動の無い状態でのωｏ―ωより得る。これに２倍等して検出レベルとする。ある検出レベルをこのように得るのは、モータや機械の元々の振動分や検出の分解能等を除去させるためである。ωｏ―ωがある検出レベルを越えたことを観測すると、発振・振動したと検出する。
マイクロコンピュータ１は発振・振動の検出で振動を停止させる。停止させる方法としては、例として以下のような方法が考えられる。もちろんそれ以外の方法で抑えても良い。どのように停止させるかは、マシンの特性や使い方等で選択する。
１．速度ループゲイン等のゲインを下げる。又は積分をなくす等。
２．発生トルクを絞る。
３．異常とする場合、ドライブ停止等する。
４．振動の周波数と９０度の位相差の指令を与えて、振動を抑える。
別の実施例としては図３の制御ブロック図ように、オブザーバの推定速度ωｏｂを用いて同じように検出した場合の例である。図３の制御ブロック図において６は速度制御、５はモータ及び負荷、８はオブザーバのモータ及び負荷イナーシャ分、９はオブザーバの速度制御のゲイン、１０は積分、１１はオブザーバの速度制御の積分、１２はオブザーバの全体である。同じようにωｏｂ―ωがある検出レベルを越えたことを観測すると、発振・振動を検出する。
また速度を推定するのに図２のブロック図の簡単な推測を行ったが、マシンの詳細が分かれば詳細なモデルを使用しても構わない。
【０００７】
【発明の効果】
以上述べたように本発明によれば、機械の振動ダメージを最大限に抑えることができるので、破損等を防止することができる。また限界まで上げることが可能で停止中だけでなく加減速等の運転中でも正確で早い検出ができるという効果がある。
【図面の簡単な説明】
【図１】本発明及び従来の具体的実施例の構成図である。
【図２】本発明の制御ブロック図である。
【図３】本発明の別の実施例の制御ブロック図である。
【図４】速度ωや推定速度ωｏの振動波形である。
【図５】従来の検出方法を示した振動波形である。
【図６】従来の別の検出方法を示した振動波形である。
【符号の説明】
１  マイクロコンピュータ
２  電流アンプ
３  ベースドライブ回路
４  パワートランジスタモジュール
５  モータ及び負荷
６  速度制御
７  モータ及び負荷のモデル
８  オブザーバのモータ及び負荷イナーシャ分
９  オブザーバの速度制御のゲイン
１０  積分
１１  オブザーバの速度制御の積分
１２  オブザーバの全体
【図１】
2004248386.tif 000003
【図２】
2004248386.tif 000004
【図３】
2004248386.tif 000005
【図４】
2004248386.tif 000006
【図５】
2004248386.tif 000007
【図６】
2004248386.tif 000008
(57)【要約】【課題】従来の茶にはない味、香り等を有する健康に良い炭茶を提供する。【解決手段】茶葉を切断し、該茶葉から異物を除去し、該茶葉を乾燥させた後、該茶葉を焙煎することにより該茶葉を炭状にしてなることを特徴とする炭茶。使用される原料は、棒茶、番茶等の茶葉である。茶葉の大きさを揃え、大きな茶葉を切断し、茶葉中に混入している粉状の茶葉、毛葉、皮、鉄類等の金属異物、石、プラスチック等の異物を除去し、該茶葉を乾燥させて暖め、続いて、該茶葉を高温にて焙煎することにより、該茶葉を炭状となすことにより、炭茶が形成される。得られた炭茶は、必要に応じて、従来の茶とブレンドする。【選択図】図１
2004248562.tif 000002
【特許請求の範囲】
【請求項１】
茶葉を切断し、該茶葉から異物を除去し、該茶葉を乾燥させた後、該茶葉を焙煎することにより該茶葉を炭状にしてなることを特徴とする炭茶。
【発明の詳細な説明】
【０００１】
【発明の属する技術分野】
本発明は炭茶に関するものであり、更に詳しくは、茶葉を焙煎して炭状にしてなる炭茶に係るものである。
【０００２】
特許請求の範囲を含む本明細書における「茶葉」は、一旦製茶したものをいい、棒茶を含むものとする。
【０００３】
【従来の技術】
茶は従来より種々のものが飲用されているが、茶葉を焙煎して炭状にしてなる炭茶は知られていない。また、本出願人は炭茶に関する先行技術文献情報を有していない。
【０００４】
【発明が解決しようとする課題】
従来より飲用されている種々の茶はそれぞれ好ましい味、香り等を有するものではあるが、本発明は従来の茶にはない味、香り等を有する健康に良い炭茶を提供しようとしてなされたものである。
【０００５】
【課題を解決するための手段】
上記課題を解決するために、本発明は、茶葉を切断し、該茶葉から異物を除去し、該茶葉を乾燥させた後、該茶葉を焙煎することにより該茶葉を炭状にしてなることを特徴とする炭茶を提供するものである。
【０００６】
【作用】
本発明による炭茶は、従来の煎茶と同様に、湯を注いで飲用する。本発明による炭茶は、これを単独で飲用してもよいが、従来の茶とブレンドして飲用しても差し支えない。
【０００７】
本発明による炭茶に湯を注いだときには、炭の香りを発し、まろやかな味と透明な或いは赤緑色を帯びた水色とを備えた好ましい茶となる。
【０００８】
なお、本発明による炭茶は、木炭、竹炭等の炭と同様に、例えば枕の中に入れて使用し、或いは床下に配設しても差し支えない。
【０００９】
【発明の実施の形態】
次に、本発明の実施の形態を添付図面に従って説明する。
【００１０】
本発明による炭茶は、棒茶、番茶等の製茶した茶葉を原料とし、一例として、下記の如く製造される。
【００１１】
（１）平行機
棒茶、番茶等の茶葉の大きさを平行機により揃える。
【００１２】
（２）切断機
大きな茶葉を切断機により切断する。
【００１３】
（３）粉取機
粉状になった茶葉を除去する。
【００１４】
（４）風撰機
茶葉中に混入している毛葉、皮等を風撰機により除去する。
【００１５】
（５）金属検知機
茶葉中に混入している鉄類等の金属異物を金属検知機により除去する。
【００１６】
（６）見視台
茶葉中に混入している異物を見視台上で目視により除去する。
【００１７】
（７）石取機
茶葉中に混入している石、プラスチック等の異物を石取機により除去する。
【００１８】
（８）第一焙煎機
第一焙煎機により茶葉を乾燥させて暖める。この工程は次の焙煎工程の前処理である。
【００１９】
（９）焙煎機
茶葉を焙煎機により約３２０℃の高温にて約３分間焙煎することにより、該茶葉を炭状となす。即ち、炭茶が形成される。
【００２０】
（１０）合組機
必要に応じて、炭茶を合組機により従来の茶とブレンドする。
【００２１】
【発明の効果】
以上説明したように、本発明による炭茶は茶葉を焙煎して炭状にしてなるものであるため、該炭茶に湯を注いだときには、従来の茶とは異なり、炭の香りを発し、まろやかな味と透明な或いは赤緑色を帯びた水色とを備えた健康に良い好ましい茶となる。
【００２２】
また、本発明による炭茶は、木炭、竹炭等の炭と同様に、例えば枕の中に入れて使用し、或いは床下に配設することもできる。
【図面の簡単な説明】
【図１】本発明による炭茶の製造方法の一例を示す説明図である。
【図１】
2004248562.tif 000003